(57)【要約】【課題】  移動局が間欠受信状態から連続受信状態に移行する場合において、セル再選択周期の短縮化を図ることを可能とする移動局及び通信方法を提供する。【解決手段】  移動局３０は、制御信号の間欠受信結果に応じてセル再選択処理を行うか否かを判定し、制御信号の連続受信結果に応じてセル再選択処理を行うか否かを判定する。セル評価部３５Ａは、通信の開始が検出されてからセル評価期間が経過する前において、在圏セルから受信した制御信号の受信品質が所定閾値を超えるか否かを判定する。セル評価部３５Ａは、制御信号の受信品質が所定閾値以下であると判定された場合には、セル評価期間の経過を待たずにセル再選択処理を行う。【選択図】  図３
2008160211.tif 000002
【特許請求の範囲】
【請求項１】
通信の開始が検出される前において、在圏セル及び周辺セルから間欠受信周期で制御信号を受信するとともに、前記通信の開始が検出された後において、前記在圏セル及び前記周辺セルから前記制御信号を連続的に受信する受信部と、
前記在圏セル及び前記周辺セルから前記間欠受信周期で受信した前記制御信号の受信品質に基づいて、前記在圏セルを再選択する処理であるセル再選択処理を行うか否かを判定する第１判定部と、
前記在圏セル及び前記周辺セルからセル評価期間内に連続的に受信した前記制御信号の受信品質に基づいて、前記セル再選択処理を行うか否かを判定する第２判定部と、
前記通信の開始が検出されてから前記セル評価期間が経過する前において、前記在圏セルから受信した前記制御信号の受信品質が所定閾値を超えるか否かを判定する第３判定部と、
前記第１判定部、前記第２判定部又は前記第３判定部による判定結果に応じて、前記セル再選択処理を行うセル再選択処理部とを備え、
前記セル再選択処理部は、
前記制御信号の受信品質が所定閾値を超えると前記第３判定部によって判定された場合には、前記セル評価期間の経過を待って、前記第２判定部による判定結果に応じて前記セル再選択処理を行い、
前記制御信号の受信品質が所定閾値以下であると前記第３判定部によって判定された場合には、前記セル評価期間の経過を待たずに前記セル再選択処理を行うことを特徴とする移動局。
【請求項２】
前記通信の開始が検出された場合に、前記在圏セルへの接続を要求する接続要求を送信する送信部をさらに備え、
前記送信部は、前記制御信号が所定閾値以下であると前記第３判定部によって判定された場合に、前記セル再選択処理が完了するまで、前記接続要求の送信を停止することを特徴とする請求項１に記載の移動局。
【請求項３】
通信の開始が検出される前において、在圏セル及び周辺セルから間欠受信周期で制御信号を受信するとともに、前記通信の開始が検出された後において、前記在圏セル及び前記周辺セルから前記制御信号を連続的に受信する移動局を含む通信システムにおいて、前記移動局が前記在圏セルを再選択する通信方法であって、
前記在圏セル及び前記周辺セルから前記間欠受信周期で受信した前記制御信号の受信品質に基づいて、前記在圏セルを再選択する処理であるセル再選択処理を行うか否かを判定するステップＡと、
前記在圏セル及び前記周辺セルからセル評価期間内に連続的に受信した前記制御信号の受信品質に基づいて、前記セル再選択処理を行うか否かを判定するステップＢと、
前記通信の開始が検出されてから前記セル評価期間が経過する前において、前記在圏セルから受信した前記制御信号の受信品質が所定閾値を超えるか否かを判定するステップＣと、
前記ステップＡ、前記ステップＢ又は前記ステップＣによる判定結果に応じて、前記セル再選択処理を行うステップＤとを含み、
前記ステップＤでは、
前記制御信号の受信品質が所定閾値を超えると前記ステップＣで判定された場合には、前記セル評価期間の経過を待って、ステップＢにおける判定結果に応じて前記セル再選択処理を行い、
前記制御信号の受信品質が所定閾値以下であると前記ステップＣで判定された場合には、前記セル評価期間を待たずに前記セル再選択処理を行うことを特徴とする通信方法。
【発明の詳細な説明】
【技術分野】
【０００１】
通信の開始が検出される前において、間欠受信周期で制御信号を基地局から受信するとともに、通信の開始が検出された後において、制御信号を基地局から連続的に受信する移動局及び通信方法に関する。
【背景技術】
【０００２】
従来、複数の基地局によってそれぞれ管理される複数のセルを有する通信システムが知られている。この通信システムでは、移動局が複数のセルを跨って移動するため、移動局が在圏すべきセル（移動局が通信すべき基地局）を変更する必要がある。
【０００３】
従って、移動局は、最適なセル（基地局）を選択するために、各基地局から受信する制御信号（例えば、ＣＰＩＣＨ（Ｃｏｍｍｏｎ  Ｐｉｌｏｔ  Ｃｈａｎｎｅｌ）を介して受信する共通パイロット信号）の受信品質の評価（以下、セル評価処理）を行う。続いて、移動局が在圏しているセル（以下、在圏セル）の受信品質が、在圏セルの周辺に位置するセル（以下、周辺セル）の受信品質よりも劣化した場合に、移動局の在圏セルが変更される（例えば、特許文献１）。
【０００４】
ここで、セル評価処理では、各基地局から制御信号を受信する必要があるため、移動局が常にセル評価処理を行うと、移動局のバッテリの消耗が著しい。
【０００５】
従って、移動局が待機状態である場合には、各基地局から制御信号を移動局が間欠的に受信して、間欠的に受信した制御信号の受信品質に基づいてセル評価処理が行われる（以下、間欠受信状態）。一方で、移動局が通信状態である場合には、各基地局から制御信号を移動局が連続的に受信して、連続的に受信した制御信号の受信品質に基づいてセル評価処理が行われる（以下、連続受信状態）。
【０００６】
以下において、移動局が待機状態から通信状態に移行する際に、移動局が間欠受信状態から連続受信状態に移行する動作について、図面を参照しながら説明する。
【０００７】
図１は、移動局がセルＡからセルＢに移動する場合において、移動局が間欠受信状態から連続受信状態に移行する場合について説明する図である。
【０００８】
図１に示すように、間欠受信状態では、移動局のハードウェアは、間欠受信周期で制御信号（共通パイロット信号）を受信する。続いて、移動局のハードウェアは、制御信号の受信品質を示す測定結果報告をソフトウェアに通知する。移動局のソフトウェアは、測定結果報告に基づいて、セル再選択処理を行うか否かを判定する。
【０００９】
一方、連続受信状態では、移動局のハードウェアは、連続的に制御信号（共通パイロット信号）を受信する。続いて、移動局のハードウェアは、セル評価期間内に連続的に受信した制御信号の受信品質を示す測定結果報告をソフトウェアに通知する。移動局のソフトウェアは、測定結果報告に基づいて、セル再選択処理を行うか否かを判定する。
【００１０】
なお、セル評価期間は、フェージングなどによって制御信号（共通パイロット信号）の受信品質が一時的に劣化する影響を削減するために、一定期間以上であることに留意すべきである。
【００１１】
ここで、移動局のソフトウェアが発信（又は、着信）を受付けた場合について考える。移動局のソフトウェアは、ＦＡＣＨ（Ｆｏｗａｒｄ  Ａｃｃｅｓｓ  Ｃｈａｎｎｅｌ）を介して制御信号を受信可能な状態にハードウェアを移行させる。ＦＡＣＨは、在圏セルから移動局に向けて下り方向の制御信号を送信するためのチャネルである。
【００１２】
移動局のソフトウェアは、ＲＡＣＨ（Ｒａｎｄｏｍ  Ａｃｃｅｓｓ  Ｃｈａｎｎｅｌ）を介して制御信号を送信可能な状態にハードウェアを移行させる。ＲＡＣＨは、移動局から在圏セルに向けて上り方向の制御信号を送信するためのチャネルである。ＲＡＣＨは、ＲＲＣ（Ｒａｄｉｏ  Ｒｅｓｏｕｒｃｅ  Ｃｏｎｔｒｏｌ）  ＣＯＮＮＥＣＴＩＯＮが設定される前において、在圏セルから移動局に向けて送信する信号の初期送信電力を決定するために用いられる。
【００１３】
移動局のソフトウェアは、通信の開始が検出されると、セル評価処理と並列で、ＲＲＣ  ＣＯＮＮＥＣＴＩＯＮの設定を要求する接続要求（ＲＲＣ  ＣＯＮＮＥＣＴＩＯＮ  ＲＥＱＵＥＳＴ）を在圏セルに送信する。すなわち、接続要求（ＲＲＣ  ＣＯＮＮＥＣＴＩＯＮ  ＲＥＱＵＥＳＴ）は、セル評価期間であっても、在圏セル（セルＡ）に送信される。
【００１４】
図１では、測定結果報告に基づいてセル再選択処理を行うと判定する場合について例示する。従って、移動局のソフトウェアは、周辺セル（セルＢ）の報知情報の受信を指示する報知情報受信命令をハードウェアに通知する。続いて、移動局は、周辺セル（セルＢ）の報知情報を受信した上で、在圏セルを変更するか否かを判定する（セル再選択処理）。
【００１５】
図１では、報知情報に基づいて在圏セルをセルＡからセルＢに変更する場合について例示する。従って、移動局のハードウェアは、セルＢから受信した制御信号（共通パイロット信号）の受信品質を含むステータス報告（Ｍｅａｓｕｒｅｍｅｎｔ  ｒｅｓｕｌｔ  ｏｎ  ＲＡＣＨ）をソフトウェアに通知する。移動局のソフトウェアは、ＲＲＣ  ＣＯＮＮＥＣＴＩＯＮの設定を要求する接続要求（ＲＲＣ  ＣＯＮＮＥＣＴＩＯＮ  ＲＥＱＵＥＳＴ）をセルＢに送信する。セルＢは、ＲＲＣ  ＣＯＮＮＥＣＴＩＯＮが設定されたことを示す設定完了（ＲＲＣ  ＣＯＮＮＥＣＴＩＯＮ  ＳＥＴＵＰ）を移動局に送信する。
【００１６】
【特許文献１】特開２００４−２４２０１７（、など）
【発明の開示】
【発明が解決しようとする課題】
【００１７】
ここで、図１に示したように、移動局が間欠受信状態から連続受信状態に移行する場合において、セル再選択処理を行うか否かを判定する周期（セル再選択周期）は、間欠受信周期とセル評価期間とを合算した周期である。
【００１８】
従って、移動局の移動速度によっては、在圏セルの変更が移動局の移動に追随することができない場合がある。すなわち、移動局が最適なセルに在圏することができない場合がある。この結果、移動局が通信を開始した後に再接続動作が必要になる場合や通信が切断される場合がある。
【００１９】
また、移動局が発信を行う場合には、セル評価期間の確保によるセル再選択周期の長期化に伴って、発信の遅延が生じてしまう。
【００２０】
そこで、本発明は、上述した課題を解決するためになされたものであり、移動局が間欠受信状態から連続受信状態に移行する場合において、セル再選択周期の短縮化を図ることを可能とする移動局及び通信方法を提供することを目的とする。
【課題を解決するための手段】
【００２１】
本発明の一の特徴は、通信の開始が検出される前において、在圏セル及び周辺セルから間欠受信周期で制御信号を受信するとともに、前記通信の開始が検出された後において、前記在圏セル及び前記周辺セルから前記制御信号を連続的に受信する受信部（受信部３１）と、前記在圏セル及び前記周辺セルから前記間欠受信周期で受信した前記制御信号の受信品質に基づいて、前記在圏セルを再選択する処理であるセル再選択処理を行うか否かを判定する第１判定部（セル評価部３５Ａ）と、前記在圏セル及び前記周辺セルからセル評価期間内に連続的に受信した前記制御信号の受信品質に基づいて、前記セル再選択処理を行うか否かを判定する第２判定部（セル評価部３５Ａ）と、前記通信の開始が検出されてから前記セル評価期間が経過する前において、前記在圏セルから受信した前記制御信号の受信品質が所定閾値を超えるか否かを判定する第３判定部（セル評価部３５Ａ）と、前記第１判定部、前記第２判定部又は前記第３判定部による判定結果に応じて、前記セル再選択処理を行うセル再選択処理部（セル評価部３５Ａ）とを移動局が備え、前記セル再選択処理部は、前記制御信号の受信品質が所定閾値を超えると前記第３判定部によって判定された場合には、前記セル評価期間の経過を待って、前記第２判定部による判定結果に応じて前記セル再選択処理を行い、前記制御信号の受信品質が所定閾値以下であると前記第３判定部によって判定された場合には、前記セル評価期間の経過を待たずに前記セル再選択処理を行うことを要旨とする。
【００２２】
かかる特徴によれば、第３判定部は、通信の開始が検出されてからセル評価期間が経過する前において、在圏セルから受信した制御信号の受信品質が所定閾値を超えるか否かを判定する。セル再選択処理部は、制御信号の受信品質が所定閾値以下であると判定された場合に、セル評価期間の経過を待たずにセル再選択処理を行う。
【００２３】
すなわち、在圏セルから受信した制御信号の受信品質が劣化している場合に、通信の開始が検出されてからセル評価期間が経過する前において、セル再選択処理を行う機会が得られる。従って、セル再選択処理を行うか否かを判定する周期（セル再選択周期）が長期化して、再接続動作、通信の切断、発信の遅延などが生じることを抑制することができる。
【００２４】
このように、移動局が間欠受信状態から連続受信状態に移行する場合において、セル再選択周期の短縮化を図ることができる。
【００２５】
一方で、セル再選択処理部は、制御信号の受信品質が所定閾値を超えると判定された場合には、セル評価期間の経過を待って、第２判定部による判定結果に応じてセル再選択処理を行う。従って、従来と同様に、フェージングなどによって制御信号の受信品質が一時的に劣化する影響を削減して、自局が在圏すべき最適なセルを選択することができる。
【００２６】
本発明の一の特徴は、上述した一の特徴において、前記通信の開始が検出された場合に、前記在圏セルへの接続を要求する接続要求を送信する送信部を移動局がさらに備え、前記送信部が、前記制御信号の受信品質が所定閾値以下であると前記第３判定部によって判定された場合に、前記セル再選択処理が完了するまで、前記接続要求の送信を停止することを要旨とする。
【００２７】
本発明の一の特徴は、通信の開始が検出される前において、在圏セル及び周辺セルから間欠受信周期で制御信号を受信するとともに、前記通信の開始が検出された後において、前記在圏セル及び前記周辺セルから前記制御信号を連続的に受信する移動局を含む通信システムにおいて、前記移動局が前記在圏セルを再選択する通信方法が、前記在圏セル及び前記周辺セルから前記間欠受信周期で受信した前記制御信号の受信品質に基づいて、前記在圏セルを再選択する処理であるセル再選択処理を行うか否かを判定するステップＡと、前記在圏セル及び前記周辺セルからセル評価期間内に連続的に受信した前記制御信号の受信品質に基づいて、前記セル再選択処理を行うか否かを判定するステップＢと、前記通信の開始が検出されてから前記セル評価期間が経過する前において、前記在圏セルから受信した前記制御信号の受信品質が所定閾値を超えるか否かを判定するステップＣと、前記ステップＡ、前記ステップＢ又は前記ステップＣにおける判定結果に応じて、前記セル再選択処理を行うステップＤとを含み、前記ステップＤでは、前記制御信号の受信品質が所定閾値を超えると前記ステップＣで判定された場合には、前記ステップＢにおける判定結果を待って、前記セル再選択処理を行い、前記制御信号の受信品質が所定閾値以下であると前記ステップＣで判定された場合には、前記ステップＢにおける判定結果を待たずに前記セル再選択処理を行うことを要旨とする。
【発明の効果】
【００２８】
本発明によれば、移動局が間欠受信状態から連続受信状態に移行する場合において、セル再選択周期の短縮化を図ることを可能とする移動局及び通信方法を提供することができる。
【発明を実施するための最良の形態】
【００２９】
以下において、本発明の実施形態に係る通信システムについて、図面を参照しながら説明する。なお、以下の図面の記載において、同一又は類似の部分には、同一又は類似の符号を付している。
【００３０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００３１】
［第１実施形態］
（通信システムの概略）
以下において、第１実施形態に係る通信システムの概略について、図面を参照しながら説明する。図２は、第１実施形態に係る通信システムの概略を示す図である。
【００３２】
図２に示すように、通信システムは、複数のセル２０（セル２０Ａ及びセル２０Ｂ）をそれぞれ管理する複数の基地局１０（基地局１０Ａ及び基地局１０Ｂ）と、複数のセル２０を跨って移動可能な複数の移動局３０とによって構成される。なお、移動局３０が在圏するセルを在圏セルと称することに留意すべきである。具体的には、在圏セルは、移動局３０の位置が登録されたセルである。また、在圏セルの周辺に位置するセルを周辺セルと称する。
【００３３】
基地局１０は、制御信号（共通パイロット信号）をＣＰＩＣＨ（Ｃｏｍｍｏｎ  Ｐｉｌｏｔ  Ｃｈａｎｎｅｌ）を介して定期的に送信する。基地局１０は、自局が管理するセル２０に在圏する移動局３０と通信を行う。具体的には、基地局１０は、ＤＰＣＨ（Ｄｅｄｉｃａｅｄ  Ｐｈｙｓｉｃａｌ  Ｃｈａｎｎｅｌ）などを介してデータ信号を移動局３０に送信する。同様に、基地局１０は、ＤＰＣＨなどを介してデータ信号を移動局３０から受信する。
【００３４】
移動局３０は、自局が在圏する在圏セル及び周辺セルから制御信号（共通パイロット信号）を受信する。移動局３０は、自局が在圏する在圏セルを管理する基地局１０と通信を行う。具体的には、移動局３０は、ＤＰＣＨなどを介してデータ信号を基地局１０に送信する。同様に、移動局３０は、ＤＰＣＨなどを介してデータ信号を基地局１０から受信する。
【００３５】
（移動局の構成）
以下において、第１実施形態に係る移動局の構成について、図面を参照しながら説明する。図３は、第１実施形態に係る移動局３０の構成を示すブロック図である。
【００３６】
図３に示すように、移動局３０は、受信部３１と、間欠受信周期タイマ３２と、セル評価期間タイマ３３と、受信品質測定部３４と、制御部３５と、送信部３６とを有する。
【００３７】
受信部３１は、制御信号（共通パイロット信号）を在圏セル及び周辺セルから受信する。受信部３１は、制御信号（Ｐ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）を介して送信される報知情報など）を在圏セル及び周辺セルから受信する。受信部３１は、制御信号（ＰＩＣＨ（Ｐａｇｉｎｇ  Ｉｎｄｉｃａｔｉｏｎ  Ｃｈａｎｎｅｌ）を介して送信されるページング表示信号やＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を介して送信されるページング情報など）を在圏セルから受信する。
【００３８】
なお、受信部３１は、ＤＰＣＨ（Ｄｅｄｉｃａｅｄ  Ｐｈｙｓｉｃａｌ  Ｃｈａｎｎｅｌ）などを介してデータ信号を在圏セルから受信することは勿論である。
【００３９】
ここで、通信の開始が検出される前（待機状態）において、受信部３１は、後述する間欠受信周期タイマ３２の値に従って、在圏セル及び周辺セルから制御信号（共通パイロット信号）を間欠的に受信する（間欠受信状態）。一方で、通信の開始が検出された後（通信状態）において、受信部３１は、在圏セル及び周辺セルから制御信号（共通パイロット信号）を連続的に受信する（連続受信状態）。
【００４０】
間欠受信周期タイマ３２は、通信の開始が検出される前において、制御信号（共通パイロット信号）を間欠的に受信する周期（間欠受信周期）を計時する。セル評価期間タイマ３３は、通信の開始が検出された後において、セル評価処理を行うために制御信号（共通パイロット信号）を連続的に受信する期間（セル評価期間）を計時する。セル評価処理とは、自局が在圏すべき最適なセルを再選択するセル再選択処理を行うか否かを判定する処理である。
【００４１】
受信品質測定部３４は、受信部３１によって受信された制御信号（共通パイロット信号）の受信品質を測定する。ここで、受信品質は、Ｅｃ／NO（エネルギー対受信電力密度比）やＲＳＣＰ（Ｒｅｃｅｉｖｅｄ  Ｓｉｇｎａｌ  Ｃｏｄｅ  Ｐｏｗｅｒ）などである。
【００４２】
具体的には、間欠受信状態（待機状態）では、受信品質測定部３４は、在圏セルから間欠的に受信された制御信号（共通パイロット信号）の受信品質を測定する。続いて、受信品質測定部３４は、制御信号（共通パイロット信号）の受信品質が所定の判定値未満である場合には、周辺セルから間欠的に受信された制御信号（共通パイロット信号）の受信品質を測定する。
【００４３】
一方で、連続受信状態（通信状態）では、受信品質測定部３４は、セル評価期間内に在圏セルから連続的に受信された制御信号（共通パイロット信号）の受信品質を測定する。続いて、受信品質測定部３４は、制御信号（共通パイロット信号）の受信品質が所定の判定値未満である場合には、セル評価期間内に周辺セルから連続的に受信された制御信号（共通パイロット信号）の受信品質を測定する。
【００４４】
ここで、受信品質測定部３４は、通信の開始が検出されてからセル評価期間が経過する前において在圏セルから受信した制御信号（共通パイロット信号）の受信品質を測定することに留意すべきである。この場合において、受信品質測定部３４は、通信の開始が検出された後に、在圏セルから最初に受信した制御信号（共通パイロット信号）の受信品質を測定することが好ましい。
【００４５】
なお、在圏セルから受信した制御信号（共通パイロット信号）の受信品質は、ステータス報告（Ｍｅａｓｕｒｅｍｅｎｔ  ｒｅｓｕｌｔ  ｏｎ  ＲＡＣＨ）に含められることに留意すべきである。
【００４６】
制御部３５は、在圏セルと周辺セルとの比較評価を行うセル評価部３５Ａと、移動局３０と基地局１０との間で行われる通信に必要な処理を行う通信処理部３５Ｂとを有する。
【００４７】
セル評価部３５Ａは、受信品質測定部３４によって測定された受信品質に基づいて、セル再選択処理を行うか否かを判定する。ここで、セル評価部３５Ａは、在圏セルから受信した制御信号（共通パイロット信号）の受信品質が所定の判定値未満である場合に、制御信号（共通パイロット信号）を周辺セルから受信することを指示する。続いて、セル評価部３５Ａは、在圏セルから受信した制御信号（共通パイロット信号）の受信品質と周辺セルから受信した制御信号（共通パイロット信号）の受信品質とを比較する。セル評価部３５Ａは、在圏セルよりも周辺セルが適切である場合に、セル再選択処理を行うと判定する。セル評価部３５Ａは、セル再選択処理を行うと判定された場合には、受信部３１によって受信された報知情報（Ｐ−ＣＣＰＣＨを介して受信する制御信号など）に基づいて、自局が在圏すべき最適なセルを再選択する（セル再選択処理）。
【００４８】
具体的には、間欠受信状態（待機状態）では、セル評価部３５Ａは、在圏セル及び周辺セルから間欠的に受信された制御信号（共通パイロット信号）の受信品質に基づいて、セル再選択処理を行うか否かを判定する。続いて、セル評価部３５Ａは、受信部３１によって受信された報知情報（Ｐ−ＣＣＰＣＨを介して受信する制御信号など）に基づいて、自局が在圏すべき最適なセルを再選択する。
【００４９】
一方で、連続受信状態（通信状態）では、セル評価部３５Ａは、セル評価期間において在圏セル及び周辺セルから連続的に受信された制御信号（共通パイロット信号）の受信品質に基づいて、セル再選択処理を行うか否かを判定する。続いて、セル評価部３５Ａは、受信部３１によって受信された報知情報（Ｐ−ＣＣＰＣＨを介して受信する制御信号など）に基づいて、自局が在圏すべき最適なセルを再選択する。
【００５０】
ここで、セル評価部３５Ａは、通信の開始が検出されてからセル評価期間が経過する前において在圏セルから受信した制御信号（共通パイロット信号）の受信品質が所定閾値を超えるか否かを判定することに留意すべきである。セル評価部３５Ａは、制御信号（共通パイロット信号）の受信品質が所定閾値を超える場合には、セル評価期間の経過を待って、セル評価期間内に連続的に受信した制御信号（共通パイロット信号）の受信品質による判定結果に応じてセル再選択処理を行う。一方で、セル評価部３５Ａは、制御信号（共通パイロット信号）の受信品質が所定閾値以下である場合には、セル評価期間の経過を待たずにセル再選択処理を行う。
【００５１】
この場合において、セル評価部３５Ａは、通信の開始が検出された後に在圏セルから最初に受信した制御信号（共通パイロット信号）の受信品質が所定閾値を超えるか否かを判定することが好ましい。
【００５２】
ここで、ステータス報告（Ｍｅａｓｕｒｅｍｅｎｔ  ｒｅｓｕｌｔ  ｏｎ  ＲＡＣＨ）には、在圏セルから受信した制御信号（共通パイロット信号）の受信品質が含まれる。従って、セル評価部３５Ａは、セル再選択処理を行うか否かを判定する際に、ステータス報告（Ｍｅａｓｕｒｅｍｅｎｔ  ｒｅｓｕｌｔ  ｏｎ  ＲＡＣＨ）に含める受信品質を流用することが可能であることに留意すべきである。
【００５３】
通信処理部３５Ｂは、通信の開始が検出されると、在圏セルへの接続を要求する接続要求（ＲＲＣ  ＣＯＮＮＥＣＴＩＯＮ  ＲＥＱＵＥＳＴ）の送信を送信部３６に指示する。ここで、通信処理部３５Ｂは、通信の開始が検出されてからセル評価期間が経過する前において在圏セルから受信した制御信号（共通パイロット信号）の受信品質が所定閾値以下である場合には、セル再選択処理が完了するまで、接続要求（ＲＲＣ  ＣＯＮＮＥＣＴＩＯＮ  ＲＥＱＵＥＳＴ）の送信を停止することに留意すべきである。
【００５４】
送信部３６は、ステータス報告を含むＲＡＣＨ（Ｒａｎｄｏｍ  Ａｃｃｅｓｓ  Ｃｈａｎｎｅｌ）を在圏セルに送信する。送信部３６は、通信処理部３５Ｂの指示に応じて、接続要求（ＲＲＣ  ＣＯＮＮＥＣＴＩＯＮ  ＲＥＱＵＥＳＴ）を在圏セルに送信する。
【００５５】
なお、送信部３６は、ＤＰＣＨ（Ｄｅｄｉｃａｅｄ  Ｐｈｙｓｉｃａｌ  Ｃｈａｎｎｅｌ）などのデータ信号を在圏セルに送信することは勿論である。
【００５６】
（間欠受信状態から連続受信状態への移行）
以下において、第１実施形態において、間欠受信状態から連続受信状態への移行の概略について、図面を参照しながら説明する。図４は、第１実施形態において、間欠受信状態から連続受信状態への移行の概略を示す図である。ここで、ハードウェアとは、例えば、上述した受信部３１、間欠受信周期タイマ３２、セル評価期間タイマ３３、受信品質測定部３４及び送信部３６であり、ソフトウェアとは、例えば、上述した制御部３５であることに留意すべきである。
【００５７】
図４に示すように、間欠受信状態では、移動局３０のハードウェアは、間欠受信周期で制御信号（共通パイロット信号）を受信する。続いて、移動局３０のハードウェアは、制御信号の受信品質を示す測定結果報告をソフトウェアに通知する。移動局３０のソフトウェアは、測定結果報告に基づいて、セル再選択処理を行うか否かを判定する。
【００５８】
一方、連続受信状態では、移動局３０のハードウェアは、連続的に制御信号（共通パイロット信号）を受信する。続いて、移動局３０のハードウェアは、セル評価期間内に連続的に受信した制御信号の受信品質を示す測定結果報告をソフトウェアに通知する。移動局３０のソフトウェアは、測定結果報告に基づいて、セル再選択処理を行うか否かを判定する。
【００５９】
なお、セル評価期間は、フェージングなどによって制御信号（共通パイロット信号）が一時的に劣化する影響を削減するために、一定期間以上であることに留意すべきである。
【００６０】
ここで、移動局３０のソフトウェアが発信（又は、着信）を受付けた場合について考える。移動局３０のソフトウェアは、ＦＡＣＨ（Ｆｏｗａｒｄ  Ａｃｃｅｓｓ  Ｃｈａｎｎｅｌ）を介して制御信号を受信可能な状態にハードウェアを移行させる。ＦＡＣＨは、在圏セルから移動局３０に向けて下り方向の制御信号を送信するためのチャネルである。
【００６１】
移動局３０のソフトウェアは、ＲＡＣＨ（Ｒａｎｄｏｍ  Ａｃｃｅｓｓ  Ｃｈａｎｎｅｌ）を介して制御信号を送信可能な状態にハードウェアを移行させる。ＲＡＣＨは、移動局３０から在圏セルに向けて上り方向の制御信号を送信するためのチャネルである。ＲＡＣＨは、ＲＲＣ  ＣＯＮＮＥＣＴＩＯＮが設定される前において、在圏セルから移動局３０に向けて送信する信号の初期送信電力を決定するために用いられる。ＲＡＣＨを介して送信される制御信号には、在圏セルから受信した制御信号（共通パイロット信号）の受信品質を含むステータス報告が含まれる。
【００６２】
ここで、移動局３０のソフトウェアは、ＲＡＣＨを介して制御信号を送信する際に、制御信号（共通パイロット信号）の受信品質の報告をハードウェアに対して要求し、ハードウェアから報告された受信品質をステータス報告（Ｍｅａｓｕｒｅｍｅｎｔ  ｒｅｓｕｌｔ  ｏｎ  ＲＡＣＨ）に含める。移動局３０のソフトウェアは、ステータス報告に含まれる制御信号（共通パイロット信号）の受信品質が所定閾値を超えるか否かを判定する。
【００６３】
図４では、制御信号（共通パイロット信号）の受信品質が所定閾値以下である場合について例示する。従って、移動局３０のソフトウェアは、周辺セル（セルＢ）について報知情報の受信を指示する報知情報受信命令をハードウェアに通知する。続いて、移動局３０は、周辺セル（セルＢ）について報知情報を受信した上で、自局が在圏すべき最適なセルを再選択する（セル再選択処理）。
【００６４】
図４では、在圏セルをセルＡからセルＢに変更する場合について例示する。従って、移動局３０のソフトウェアは、在圏セルの変更をハードウェアに通知する（セル選択）。続いて、移動局３０のハードウェアは、セルＢから受信した制御信号（共通パイロット信号）の受信品質を含むステータス報告（Ｍｅａｓｕｒｅｍｅｎｔ  ｒｅｓｕｌｔ  ｏｎ  ＲＡＣＨ）をソフトウェアに通知する。移動局のソフトウェアは、ＲＲＣ  ＣＯＮＮＥＣＴＩＯＮの設定を要求する接続要求（ＲＲＣ  ＣＯＮＮＥＣＴＩＯＮ  ＲＥＱＵＥＳＴ）をセルＢに送信する。セルＢは、ＲＲＣ  ＣＯＮＮＥＣＴＩＯＮが設定されたことを示す設定完了（ＲＲＣ  ＣＯＮＮＥＣＴＩＯＮ  ＳＥＴＵＰ）を移動局に送信する。
【００６５】
ここで、ステータス報告（Ｍｅａｓｕｒｅｍｅｎｔ  ｒｅｓｕｌｔ  ｏｎ  ＲＡＣＨ）に含める制御信号（共通パイロット信号）の受信品質が所定閾値以下である場合には、移動局３０のソフトウェアは、セル再選択処理が完了するまで、接続要求（ＲＲＣ  ＣＯＮＮＥＣＴＩＯＮ  ＲＥＱＵＥＳＴ）の送信を停止することに留意すべきである。
【００６６】
（移動局の動作）
以下において、第１実施形態に係る移動局の動作について、図面を参照しながら説明する。図５及び図６は、第１実施形態に係る移動局３０の構成を示すフロー図である。
【００６７】
最初に、自局が在圏すべきセル（在圏セル）を変更するか否かを判定する処理について、図５を参照しながら説明する。
【００６８】
図５に示すように、ステップ１０において、移動局３０は、在圏セル及び周辺セルから間欠受信周期で制御信号（パイロット信号）を受信する（間欠受信状態）。
【００６９】
ステップ２０において、移動局３０は、通信の開始（発信／着信）を検出する。例えば、移動局３０は、ＰＩＣＨを介して受信する制御信号（ページング表示信号）によって、通信の開始（着信）を検出する。
【００７０】
ステップ３０において、移動局３０は、在圏セル及び周辺セルから連続的に制御信号（パイロット信号）を受信する（連続受信状態）。
【００７１】
ステップ４０において、移動局３０は、ＲＡＣＨを介して送信されるステータス報告に含める制御信号（共通パイロット信号）の受信品質に基づいて在圏セルを評価する。ここで、ステップ４０の処理は、通信の開始が検出されてからセル評価期間が経過する前に行われることに留意すべきである。
【００７２】
ステップ５０において、移動局３０は、ステータス報告に含める制御信号（共通パイロット信号）の受信品質が所定閾値を超えるか否かを判定する。移動局３０は、制御信号（共通パイロット信号）の受信品質が所定閾値を超える場合には（すなわち、在圏セルの評価結果が良好である場合には）、ステップ６０の処理に移る。一方で、移動局３０は、制御信号（共通パイロット信号）の受信品質が所定閾値以下である場合には（すなわち、在圏セルの評価結果が劣悪である場合には）、ステップ９０以降の処理（セル再選択処理）に移る。
【００７３】
ステップ６０において、移動局３０は、セル評価期間が満了したか否かを判定する。移動局３０は、セル評価期間が満了するまで待機した上で、ステップ７０の処理に移る。移動局３０は、ステップ７０の処理に移る際に、セル評価期間タイマ３３にセル評価期間をセットする。
【００７４】
ステップ７０において、移動局３０は、セル評価期間に連続的に受信した制御信号（共通パイロット信号）の受信品質に基づいて、在圏セル及び周辺セルの評価を行う。具体的には、移動局３０は、在圏セルから受信した制御信号（パイロット信号）の受信品質と、周辺セルから受信した制御信号（パイロット信号）の受信品質とを比較する。
【００７５】
ステップ８０において、移動局３０は、在圏セル及び周辺セルの評価結果に基づいて、セル再選択処理を行うか否かを判定する。具体的には、移動局３０は、在圏セルから受信した制御信号（パイロット信号）の受信品質が、周辺セルから受信した制御信号（パイロット信号）の受信品質よりも劣化している場合に、セル再選択処理を行うと判定する。
【００７６】
移動局３０は、セル再選択処理を行うと判定した場合には、ステップ９０の処理に移る。一方で、移動局３０は、セル再選択処理を行わないと判定した場合には、ステップ６０の処理に戻る。
【００７７】
ステップ９０において、移動局３０は、報知情報（Ｐ−ＣＣＰＣＨを介して送信される制御信号）を周辺セルから受信する。
【００７８】
ステップ１００において、移動局３０は、報知情報の受信結果に基づいて、自局が在圏すべきセル（在圏セル）を変更するか否かを判定する。
【００７９】
移動局３０は、在圏セルを変更する場合には、ステップ１１０の処理に移る。ステップ１１０において、移動局３０は、周辺セルについて位置登録などを行って在圏セルを変更する。
【００８０】
一方で、移動局３０は、在圏セルを変更しない場合には、ステップ１２０の処理に移る。ステップ１２０において、移動局３０は在圏セルを維持する。
【００８１】
ステップ１３０において、移動局３０は、セル再選択処理の完了を検出する。続いて、移動局３０は、上述したステップ６０の処理に戻る。
【００８２】
第１実施形態では、ステップ９０の処理〜ステップ１３０の処理を総称してセル再選択処理と称することに留意すべきである。
【００８３】
なお、ステップ１１０及びステップ１２０の処理が終了すると、移動局３０は、ステップ６０の処理に戻る。
【００８４】
次に、通信を開始するために個別チャネルを確立する処理について、図６を参照しながら説明する。
【００８５】
図６に示すように、ステップ２００において、移動局３０は、上述したステップ２０と同様に、移動局３０は、通信の開始（発信／着信）を検出する。
【００８６】
ステップ２１０において、移動局３０は、上述したステップ５０と同様に、ステータス報告に含める制御信号（共通パイロット信号）の受信品質が所定閾値を超えるか否かを判定する。移動局３０は、制御信号（共通パイロット信号）の受信品質が所定閾値を超える場合には、ステップ２３０の処理に移る。一方で、移動局３０は、制御信号（共通パイロット信号）の受信品質が所定閾値以下である場合には、ステップ２２０の処理に移る。
【００８７】
ステップ２２０において、移動局３０は、セル再選択処理が完了したか否かを判定する。すなわち、移動局３０は、ステップ１３０でセル再選択処理の完了が検出されるまで待機した上で、ステップ２３０の処理に移る。
【００８８】
ステップ２３０において、移動局３０は、接続要求（ＲＲＣ  ＣＯＮＮＥＣＴＩＯＮ  ＲＥＱＵＥＳＴ）を在圏セルに送信する。
【００８９】
ステップ２４０において、移動局３０は、接続セットアップ（ＲＲＣ  ＣＯＮＮＥＣＴＩＯＮ  ＳＥＴＵＰ）を在圏セルから受信する。
【００９０】
ステップ２５０において、移動局３０は、在圏セルに対して個別チャネル（ＤＰＣＨ）の確立処理を行う。
【００９１】
（作用及び効果）
第１実施形態に係る移動局３０によれば、セル評価部３５Ａは、通信の開始が検出されてからセル評価期間が経過する前において、在圏セルから受信した制御信号（共通パイロット信号）の受信品質が所定閾値を超えるか否かを判定する。続いて、セル評価部３５Ａは、制御信号（共通パイロット信号）の受信品質が所定閾値以下であると判定された場合に、セル評価期間の経過を待たずにセル再選択処理を行う。
【００９２】
すなわち、在圏セルから受信した制御信号（共通パイロット信号）の受信品質が劣化している場合に、通信の開始が検出されてからセル評価期間が経過する前において、セル再選択処理を行う機会が得られる。従って、セル再選択処理を行うか否かを判定する周期（セル再選択周期）が長期化して、再接続動作、通信の切断、発信の遅延などが生じることを抑制することができる。
【００９３】
このように、移動局３０が間欠受信状態から連続受信状態に移行する場合において、セル再選択周期の短縮化を図ることができる。
【００９４】
一方で、セル評価部３５Ａは、制御信号の受信品質が所定閾値を超えると判定された場合には、セル評価期間の経過を待って、セル評価期間内に連続的に受信した制御信号（共通パイロット信号）の受信品質による判定結果に応じてセル再選択処理を行う。従って、従来と同様に、フェージングなどによって制御信号の受信品質が一時的に劣化する影響を削減して、自局が在圏すべき最適なセルを選択することができる。
【００９５】
第１実施形態に係る移動局３０によれば、通信処理部３５Ｂは、通信の開始が検出されてからセル評価期間が経過する前において在圏セルから受信した制御信号（共通パイロット信号）の受信品質が所定閾値以下である場合には、セル再選択処理が完了するまで、接続要求（ＲＲＣ  ＣＯＮＮＥＣＴＩＯＮ  ＲＥＱＵＥＳＴ）の送信を停止する。
【００９６】
すなわち、在圏セルが変更される場合が高い場合において、接続要求の送信を一時的に停止する。従って、接続要求が送信された後に在圏セルが変更されて、接続要求の再送が生じることを抑制することができる。
【００９７】
第１実施形態に係る移動局３０によれば、セル評価部３５Ａは、セル再選択処理を行うか否かを判定する際に、ステータス報告（Ｍｅａｓｕｒｅｍｅｎｔ  ｒｅｓｕｌｔ  ｏｎ  ＲＡＣＨ）に含める受信品質を流用する。従って、従来の移動局３０と比べて、移動局３０の負荷を増大させることなく、セル再選択周期の短縮化を図ることができる。
【００９８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９９】
上述した実施形態では、セル評価処理及びセル再選択処理は、移動局３０側で行われるが、これに限定されるものではない。具体的には、セル評価処理及びセル再選択処理の一部又は全部は、基地局１０側で行われてもよい。この場合において、セル評価処理及びセル再選択処理に必要な情報は、移動局３０から基地局１０に通知されてもよいことは勿論である。
【０１００】
上述した実施形態では、移動局３０は、図６に示したように、ステップ２２０の処理でセル再選択処理が完了したと判定された場合にのみ、接続要求（ＲＲＣ  ＣＯＮＮＥＣＴＩＯＮ  ＲＥＱＵＥＳＴ）を送信するが、これに限定されるものではない。具体的には、移動局３０は、通信の開始（着信又は発信）が検出されてから経過した時間を計時するセル再選択タイマを有する。ここで、移動局３０は、セル再選択タイマによって計時された時間が所定時間を超えた場合には、セル再選択処理が完了していないくても、接続要求（ＲＲＣ  ＣＯＮＮＥＣＴＩＯＮ  ＲＥＱＵＥＳＴ）を送信する。
【図面の簡単な説明】
【０１０１】
【図１】従来技術において、間欠受信状態から連続受信状態への移行の概略を示す図である。
【図２】第１実施形態に係る通信システムの概略を示す図である。
【図３】第１実施形態に係る移動局３０の構成を示すブロック図である。
【図４】第１実施形態において、間欠受信状態から連続受信状態への移行の概略を示す図である。
【図５】第１実施形態に係る移動局３０の構成を示すフロー図である。
【図６】第１実施形態に係る移動局３０の構成を示すフロー図である。
【符号の説明】
【０１０２】
１０・・・基地局、２０・・・セル、３０・・・移動局、３１・・・受信部、３２・・・間欠受信周期タイマ、３３・・・セル評価期間タイマ、３４・・・受信品質測定部、３５・・・制御部、３５Ａ・・・セル評価部、３５Ｂ・・・通信処理部、３６・・・送信部
【図１】
2008160211.tif 000003
【図２】
2008160211.tif 000004
【図３】
2008160211.tif 000005
【図４】
2008160211.tif 000006
【図５】
2008160211.tif 000007
【図６】
2008160211.tif 000008